(57)【要約】【課題】自車両の前方にある道路区間における走行予想軌跡を、走行の都度、より実際の走行軌跡に近い走行予想軌跡として導出することができる技術を提供する。【解決手段】自車両の走行位置における自車走行レーンのレーン幅と、前記自車両の前方の道路区間の形状を示す道路区間形状情報とを取得し、前記レーン幅に基づいて前記走行位置において前記自車走行レーンを幅方向に分割した複数個の領域のうち、前記自車両がいずれの領域に属すかを特定し、前記複数個の領域のうちの前記特定された領域の位置と前記カーブ形状情報とに基づいて、前記特定された領域内の点を基点として前記道路区間を通る前記自車両の走行予想軌跡を導出する。【選択図】図４
2009176188.tif 000002
【特許請求の範囲】
【請求項１】
自車両の走行位置における自車走行レーンのレーン幅と、前記自車両の前方の道路区間の形状を示す道路区間形状情報とを取得する道路情報取得手段と、
前記レーン幅に基づいて前記走行位置において前記自車走行レーンを幅方向に分割した複数個の領域のうち、前記自車両がいずれの領域に属すかを特定する走行領域特定手段と、
前記複数個の領域のうちの前記特定された領域の位置と前記道路区間形状情報とに基づいて、前記特定された領域内の点を基点として前記道路区間を通る前記自車両の走行予想軌跡を導出する走行予想軌跡導出手段と、
を備える道路走行予想軌跡導出装置。
【請求項２】
前記走行領域特定手段は、前記自車両に搭載されたカメラが撮影した前記自車走行レーンを含む画像の画像情報を取得し、前記画像情報に基づいて、前記自車両が前記自車走行レーンを幅方向に２または３分割した領域のうちのいずれの領域に属すかを特定する、
請求項１に記載の道路走行予想軌跡導出装置。
【請求項３】
自車両の走行位置における自車走行レーンのレーン幅と、前記自車両の前方の道路区間の形状を示す道路区間形状情報とを取得する道路情報取得工程と、
前記レーン幅に基づいて前記走行位置において前記自車走行レーンを幅方向に分割した複数個の領域のうち、前記自車両がいずれの領域に属すかを特定する走行領域特定工程と、
前記複数個の領域のうちの前記特定された領域の位置と前記道路区間形状情報とに基づいて、前記特定された領域内の点を基点として前記道路区間を通る前記自車両の走行予想軌跡を導出する走行予想軌跡導出工程と、
を含む道路走行予想軌跡導出方法。
【請求項４】
自車両の走行位置における自車走行レーンのレーン幅と、前記自車両の前方の道路区間の形状を示す道路区間形状情報とを取得する道路情報取得機能と、
前記レーン幅に基づいて前記走行位置において前記自車走行レーンを幅方向に分割した複数個の領域のうち、前記自車両がいずれの領域に属すかを特定する走行領域特定機能と、
前記複数個の領域のうちの前記特定された領域の位置と前記道路区間形状情報とに基づいて、前記特定された領域内の点を基点として前記道路区間を通る前記自車両の走行予想軌跡を導出する走行予想軌跡導出機能と、
をコンピュータに実現させる道路走行予想軌跡導出プログラム。
【発明の詳細な説明】
【技術分野】
【０００１】
本発明は、対象とする道路区間を走行する前に当該道路区間における走行予想軌跡を導出する、道路走行予想軌跡導出装置、道路走行予想軌跡導出方法および道路走行予想軌跡導出プログラムに関する。
【背景技術】
【０００２】
従来、自車走行道路内における自車走行レーンを検出する技術（特許文献１）が知られている。
【特許文献１】特開２００２−１９３０２９号公報
【発明の開示】
【発明が解決しようとする課題】
【０００３】
特許文献１の技術においては、走行道路内における自車両の走行位置を考慮した旋回半径を導出することが記載されている。しかし、自車走行レーンのレーン幅が大きい場合は、自車走行レーン内の位置によっては導出される旋回半径と実際の旋回半径との差は大きくなる。すなわち、自車走行レーンを特定するだけでは不十分な場合がある。
【０００４】
本発明は、上記課題に鑑みてなされたもので、自車両の前方にある道路区間における走行予想軌跡を、走行の都度、より実際の走行軌跡に近い走行予想軌跡として導出することができる技術を提供することを目的とする。
【課題を解決するための手段】
【０００５】
上記の目的を達成するため、本発明においては、自車両の走行位置における自車走行レーンのレーン幅と、前記自車両の前方の道路区間の形状を示す道路区間形状情報とを取得し、前記レーン幅に基づいて、前記走行位置において前記自車走行レーンを幅方向に分割した複数個の領域のうち、前記自車両がいずれの領域に属すかを特定し、前記複数個の領域のうちの前記特定された領域の位置と前記道路区間形状情報とに基づいて、前記特定された領域内の点を基点として前記道路区間を通る前記自車両の走行予想軌跡を導出する。この構成によると、走行予想軌跡を導出する対象となる道路区間に接近するときの自車走行レーンの幅方向における実際の走行位置に応じて走行予想軌跡を導出するため、当該道路区間の走行予想軌跡を、走行の都度、より実際の走行軌跡に近い走行予想軌跡として導出することができる。その結果、導出された走行予想軌跡に基づいて、当該道路区間の走行に際して様々な車両制御を行う場合に設定する制御量の精度を向上させることができる。車両制御とは例えば、減速制御や、車両安定制御、ライトの配光制御などを想定してよい。
【０００６】
道路情報取得手段においては、自車両の走行位置における自車走行レーンのレーン幅と、前記自車両の前方の道路区間の形状を示す道路区間形状情報とを取得することができればよい。具体的には例えば、自車両の位置を特定し、自車両が当該道路区間に所定距離まで接近したことを検出すると、その地点におけるレーン幅と所定距離前方の道路区間の道路区間形状情報とを取得する。自車両の位置を特定する構成は、例えば、車両の位置をセンサやカメラによって特定する構成や、ＧＰＳからの信号や地図上での自車両の軌跡、車車間通信、路車間通信等によって位置を取得する構成等を採用可能である。
【０００７】
ここで道路区間とは、例えば地図情報において、一つのリンクとして記憶されている区間や、連続する複数のリンクとして記憶されている区間や、リンク内または複数のリンクにまたがった所定距離内の区間や、交差点から前後所定距離以内の区間などを想定してよい。このような道路区間は、直線形状のものや、屈曲あるいはカーブ形状のものなどいずれであってもよい。道路区間に接近する自車両の走行位置における自車走行レーンのレーン幅とは、当該道路区間の入口あるいは当該道路区間の手前に予め設定されている地点を含む所定範囲の道路領域を通過するときの、自車走行レーンのレーン幅を意味する。
【０００８】
道路区間形状情報は、道路区間の形状を規定できる限りにおいて、種々の態様を採用可能である。例えば、当該道路区間の開始地点の地点情報、当該道路区間の終了地点の地点情報、開始地点と終了地点の間に設定された当該道路区間の形状を補間するための１以上の補間地点の地点情報などを含んでいてもよい。地点情報には、対象地点の座標と当該地点の属性などが含まれてよい。地点の属性には、例えば、道路と当該地点の位置関係を示す情報が含まれていてもよい。具体的には、対向する複数のレーンを含む道路内の幅方向の中央に設定されている地点であるか、進行方向が同一の複数のレーン群の中央に設定されている地点であるか、レーン毎にレーンの中央に設定されている地点であるか、などの位置関係を示す情報を含んでいてもよい。なお、道路区間形状情報は他にも、当該道路区間のレーン幅を含んでいてもよいし、また、当該道路区間がカーブ形状の区間である場合、当該カーブの形状を示す情報として予め設定されている曲率や曲率半径、カーブの中心角などを含んでいてもよい。
【０００９】
走行領域特定手段においては、前記レーン幅に基づいて前記走行位置において前記自車走行レーンを幅方向に分割した複数個の領域のうち、前記自車両がいずれの領域に属すかを特定することができればよい。例えば、車載カメラによって撮影された画像情報に基づいて領域を特定する構成を採用可能である。また例えば、道路側に設置された路側カメラによって撮影された画像情報を路車間通信によって取得し、当該情報に基づいて領域を特定する構成や、路側カメラによって撮影された画像情報に基づいて特定された領域を示す情報を路車間通信によって取得する構成も採用可能である。
【００１０】
走行予想軌跡導出手段は、複数個の領域のうちの前記特定された領域の位置と前記道路区間形状とに基づいて、前記特定された領域内の点を基点とした前記道路区間を通る自車両の走行予想軌跡を導出する。複数個の領域のうちの前記特定された領域の位置とは、自車走行レーンの幅方向に対する前記特定された領域の位置関係を示すものである。走行予想軌跡とは、例えば軌跡線を規定する２地点の座標であってもよいし、さらに、当該２地点間に存在し軌跡線の形状を補間する１以上の地点の座標が含まれていてもよい。なお、基点は領域内において任意に設定してよい。上記の他にもさらに、カーブ形状の道路区間であればその軌跡を走行する場合の車両の旋回半径が導出されてもよい。
【００１１】
本発明において走行領域特定手段は、前記自車両に搭載されたカメラが撮影した自車走行レーンを含む画像の画像情報を取得し、前記画像情報に基づいて、自車両が自車走行レーンを幅方向に２または３分割した領域のうちのいずれの領域に属すかを特定してもよい。カメラが撮影した画像の画像情報を取得するとき、レーン幅が当該カメラの撮影範囲の最大幅より大きい場合は、自車走行レーンの左右いずれか一方の端が画像内に含まれるパターンと、いずれの端も画像内に含まれないパターンと、他方の端が画像内に含まれるパターンの３パターンの画像の画像情報が取得されうる。この状況が発生しうるレーン幅である場合は、取得した画像情報に基づいて画像認識処理を行い、上述の３パターンのいずれであるかを判定し、３分割したうちのいずれの領域に自車両が属しているかを特定する。レーン幅がカメラの撮影範囲の幅より大きくない場合は、左右のどちらの端が画像内の中央に近くにあるかに応じて、自車走行レーンを２分割したうちのどちらの領域であるかを特定してもよい。なお、レーン幅がカメラの撮影範囲の幅より大きくない場合であっても３分割中のいずれの領域であるかを特定してもよい。このように車載カメラが撮影した画像情報を用いる構成では、自車走行レーン内における自車両の走行位置を含む領域を簡易な方法で特定することができる。
【００１２】
なお、本発明のように、自車両の走行位置における自車走行レーンのレーン幅と、前記自車両の前方の道路区間の形状を示す道路区間形状情報とを取得し、前記レーン幅に基づいて前記走行位置において前記自車走行レーンを幅方向に分割した複数個の領域のうち、前記自車両がいずれの領域に属すかを特定し、前記複数個の領域のうちの前記特定された領域の位置と前記道路区間形状情報とに基づいて、前記特定された領域内の点を基点として前記道路区間を通る前記自車両の走行予想軌跡を導出する手法は、この処理を行うプログラムや方法としても適用可能である。また、以上のようなナビゲーション装置、プログラム、方法は、単独の装置として実現される場合もあれば、車両に備えられる各部と共有の部品を利用して実現される場合もあり、各種の態様を含むものである。また、一部がソフトウェアであり一部がハードウェアであったりするなど、適宜、変更可能である。さらに、ナビゲーション装置を制御するプログラムの記録媒体としても発明は成立する。むろん、そのソフトウェアの記録媒体は、磁気記録媒体であってもよいし光磁気記録媒体であってもよいし、今後開発されるいかなる記録媒体においても全く同様に考えることができる。
【発明を実施するための最良の形態】
【００１３】
ここでは、下記の順序に従って本発明の実施の形態について説明する。
（１）ナビゲーション装置の構成：
（２）車両制御処理：
（３）他の実施形態：
【００１４】
（１）ナビゲーション装置の構成：
図１は、本発明にかかる道路走行予想軌跡導出装置としてのナビゲーション装置１０の構成を示すブロック図である。ナビゲーション装置１０は、ＣＰＵ、ＲＡＭ、ＲＯＭ等を備える制御部２０と記憶媒体３０とを備えており、記憶媒体３０やＲＯＭに記憶されたプログラムを制御部２０で実行することができる。本実施形態においては、このプログラムの一つとしてナビゲーションプログラム２１を実施可能であり、当該ナビゲーションプログラム２１は、その機能として、走行予想軌跡を導出する機能を備えている。
【００１５】
自車両（ナビゲーション装置１０が搭載された車両）には、ナビゲーションプログラム２１による上記の機能を実現するために、ＧＰＳ受信部４０、車速センサ４１、ジャイロセンサ４２、カメラ４３、車両制御装置４４が備えられており、これらの各部と制御部２０との信号の授受が図示しないインタフェースによって実現されている。
【００１６】
ＧＰＳ受信部４０は、ＧＰＳ衛星からの電波を受信し、図示しないインタフェースを介して自車両の現在位置を算出するための情報を出力する。制御部２０は、この信号を取得して自車両の現在位置を取得する。車速センサ４１は、自車両が備える車輪の回転速度に対応した信号を出力する。制御部２０は、図示しないインタフェースを介してこの信号を取得し、自車両の速度を取得する。ジャイロセンサ４２は、自車両の水平面内の旋回についての角速度（ヨーレート）を検出し、自車両の向きに対応した信号を出力する。制御部２０は図示しないインタフェースを介してこの信号を取得し、自車両の走行方向を取得する。車速センサ４１およびジャイロセンサ４２は、ＧＰＳ受信部４０の出力信号から特定される自車両の現在位置を補正するなどのために利用される。また、自車両の現在位置は、後述する地図情報３０ａと照合することにより適宜補正される。
【００１７】
カメラ４３は、自車両の後方の路面を視野に含むように自車両に対して取り付けられており、撮影した画像を示す画像情報を出力する。制御部２０は、図示しないインタフェースを介してこの画像情報を取得して画像認識処理を行い、走行領域の特定に利用する。図２において二点鎖線で囲まれた領域５０は、自車両に取り付けられた状態のカメラ４３の撮影範囲を路面に投影した領域を示している。なお、カメラ４３は自車両の前方の路面を視野に含むように自車両に対して取り付けられていてもよい。
【００１８】
車両制御装置４４は、制御部２０から取得した走行予想軌跡を示す情報を用いて、自車両を減速させるための制御を行う機能や、車両の姿勢を安定させるための制御を行う機能、ライトの配光方向の制御を行う機能などを備えている。
【００１９】
本実施形態においては、ナビゲーションプログラム２１による道路走行予想軌跡導出機能を実現するために、道路情報取得部２１ａと走行領域特定部２１ｂと走行予想軌跡導出部２１ｃとを備えている。また、記憶媒体３０には、ナビゲーションプログラム２１による上述の機能を実現するために地図情報３０ａが記憶されている。
【００２０】
地図情報３０ａは、道路上に設定されたノードを示すノードデータや、ノードとノードの連結を示すリンクデータなどを含み、自車位置の特定や自車両の前方の道路区間の走行予想軌跡の導出などのために利用される。ノードデータには、ノードの座標、ノードの属性などが含まれている。リンクデータには、リンクの形状を補間するための形状補間点の座標、当該形状補間点の属性、リンク長、道路幅、レーン数、レーン幅などの情報が含まれている。ノードの属性や形状補間点の属性には、道路と当該ノードや形状補間点との位置関係を示す情報が含まれている。具体的には例えば、対向する複数のレーンを含む道路内の幅方向中央に設定されている地点であるかや、進行方向が同一の複数のレーン群の幅方向中央に設定されている地点であるか、レーン毎にレーンの中央に設定されている地点であるか、交差点領域の中のどの位置に設定されている地点であるか、などを示す情報が含まれていてもよい。なお、形状補間点は、カーブ形状の道路区間において道路の形状を補間する以外にも、レーン数が増減する地点や、道路の幅員が変化する地点に設定されることもある。また、高速道路や幹線道路は、対向方向の道路のそれぞれが別のリンクとして扱われる。
【００２１】
ここで道路区間とは、例えば地図情報３０ａにおいて、一つのリンクとして記憶されている区間や、連続する複数のリンクとして記憶されている区間や、リンク内または複数のリンクにまたがった所定距離内の区間や、交差点から前後所定距離以内の区間などを想定してよい。このように設定される道路区間は、直線形状のものや、屈曲あるいはカーブ形状のものなどいずれであってもよい。
【００２２】
また、記憶媒体３０には、忌避誘発形状物情報が記憶されていてもよい。忌避誘発形状物情報は、道路区間の道路上あるいは道路外に存在し、運転者の忌避を誘発する忌避誘発形状物の位置を少なくとも含んでいる。すなわち忌避誘発形状物には例えば、道路上に存在し運転者に対して直接的に影響を与えるもの（回避が必要であるために走行経路の変動を強いるもの）や、道路外に存在し運転者に対して間接的に影響を与えるもの（運転者に対する心理的負担によって運転者が無意識のうちに走行経路を変動する傾向にあるもの）が含まれる。前者としては例えば、対象となる道路区間の路面上の凹凸部や、事故車両、駐停車中の車両などを想定してよい。後者としては例えば、カーブ先の視界を遮蔽するような地物（トンネル壁面、防音壁、崖（山）など）や、道路傍に形成されている崖（谷）などを想定してよい。忌避誘発形状物情報は、忌避誘発形状物の位置の他に忌避誘発形状物の大きさや種類などを含んでいてもよい。本実施形態においては、忌避誘発形状物情報は、地図情報３０ａのリンクデータやノードデータなどと予め対応付けて記憶媒体３０に記憶されている。
【００２３】
道路情報取得部２１ａは、自車両の走行位置における自車走行レーンのレーン幅と、前記自車両の前方の道路区間の形状を示す道路区間形状情報とを取得する機能を制御部２０に実現させるモジュールである。具体的には例えば、自車両の位置を特定し、自車両が当該道路区間に所定距離までに接近したことを検出すると、その地点におけるレーン幅と、所定距離前方に存在する道路区間の道路区間形状情報とを、地図情報３０ａを参照することにより取得する。
【００２４】
道路区間形状情報は、道路区間の形状を規定する情報であり、本実施形態においては、当該道路区間の開始地点の地点情報、当該道路区間の終了地点の地点情報、開始地点と終了地点の間に設定された当該道路区間の形状を補間するための１以上の補間地点の地点情報などを含んでいる。これら開始地点、補間地点、終了地点は、本実施形態においては地図情報３０ａにノードや形状補間点として含まれているいずれかの地点が該当する。地点情報には、例えば対象地点の座標と当該地点の属性が含まれている。地点の属性としては、上述のように、道路と当該地点の位置関係を示す情報（道路内の幅方向の中央に設定されている地点かどうか、進行方向が同一の複数のレーン群の中央に設定されている地点かどうか、レーン毎にレーンの中央に設定されている地点であるかどうか、交差点領域の中のどの位置にある地点であるかなどを示す情報）が含まれる。なお、道路区間形状情報は上記の態様の情報の他にも、当該道路区間のレーン数やレーン幅を含んでいてもよいし、また、当該道路区間がカーブ形状の区間である場合、当該カーブ形状を示す情報として予め定められている曲率や曲率半径、カーブの中心角などを含んでいてもよい。
【００２５】
走行領域特定部２１ｂは、前記レーン幅に基づいて前記走行位置において前記自車走行レーンを幅方向に分割した複数個の領域のうち、自車両がいずれの領域に属すかを特定する機能を制御部２０に実現させるモジュールである。本実施形態では、カメラ４３が撮影した自車走行レーンを含む画像の画像情報を取得し、前記画像情報に基づいて、自車両がどの領域に属すかを特定する。
【００２６】
さらに、本実施形態においては、制御部２０に、前記道路区間の道路上あるいは道路外に存在し、運転者の忌避を誘発する忌避誘発形状物の位置を示す忌避誘発形状物情報を取得する機能を実現させる忌避誘発形状物情報取得部を備えていてもよい。本実施形態では、記憶媒体３０に記憶されている忌避誘発形状物情報を取得してもよい。
【００２７】
走行予想軌跡導出部２１ｃは、複数個の領域のうちの前記特定された領域の位置と前記道路区間形状とに基づいて、前記特定された領域内の点を基点とした前記道路区間を通る自車両の走行予想軌跡を導出する機能を制御部２０に実現させるモジュールである。複数個の領域のうちの前記特定された領域の位置とは、自車走行レーンの幅方向に対する前記特定された領域の位置関係を示すものである。走行予想軌跡とは、例えば軌跡線を規定する２地点の座標であってもよいし、さらに、上記２点間に存在し軌跡線の形状を補間する１以上の点の座標が含まれていてもよい。さらに上記の他にも、カーブ形状の区間であればその軌跡を走行する場合の車両の旋回半径などが導出されてもよい。
以上、ナビゲーション装置１０の構成を説明した。
【００２８】
（２）車両制御処理：
次に、以上の構成においてナビゲーション装置１０が実施する車両制御処理について説明する。本実施形態では、カーブ形状の道路区間を、走行予想軌跡を導出する対象とする。図３は、車両制御処理の流れを示すフローチャートである。図３に示す処理は、所定時間経過ごとに繰り返し制御部２０によって実行される。以降、図４を例に用いて処理内容を具体的に説明する。図４に示す道路区間Ｓは右カーブ形状を有し、単一のレーンを有している道路区間を示している。以降の各ステップの処理説明は、図４に示す道路区間Ｓまで自車両が所定距離以内に接近した時に行われる処理の具体的例を説明したものである。
【００２９】
はじめに、制御部２０は、道路情報取得部２１ａの処理を実行することにより、自車両の現在位置を取得する（ステップＳ１００）。具体的には制御部２０は、ＧＰＳ受信部４０、車速センサ４１、ジャイロセンサ４２が出力する信号をもとに、地図情報３０ａを用いてマップマッチング処理を行うことにより自車走行道路および自車走行道路が複数のレーンを有する場合は自車走行道路内の自車走行レーンの位置、自車走行レーンの進行方向における自車両の現在位置を特定し、現在位置における自車走行レーンのレーン幅Ｗｎを、対応するリンクデータを参照して取得する。なお、自車走行道路が複数のレーンを有する場合に、複数のレーンのうち自車走行レーンの位置を特定する方法は、上記の方法に加えて、カメラ４３が撮影した画像情報に基づいて画像内に含まれるレーン区画線の線種を判定し、地図情報３０ａに含まれる線種情報（自車走行道路が有するレーンのレーン区画線の線種情報）と照合することによって自車走行レーンを特定する方法を採用してもよい。
【００３０】
次に、制御部２０は、道路情報取得部２１ａの処理を実行することにより、自車両の前方の道路区間の道路区間形状情報を取得する（ステップＳ１０５）。具体的には例えば、自車走行道路上であって自車両の現在位置から所定距離前方にある任意の長さの道路区間のノードデータやリンクデータを取得する。経路案内中であれば、案内中の経路上の道路区間を選択する。また、このとき制御部２０は、忌避誘発形状物情報取得部の処理を実行することにより、記憶媒体３０から当該道路区間に対応する忌避誘発形状物情報を取得してもよい。
【００３１】
図４に示すように、道路区間Ｓに所定距離接近した位置に自車両がいる場合、制御部２０は、自車両の前方の道路区間の道路区間形状情報として、地点Ｐ１（カーブの開始地点）と地点Ｐ２（補間地点）と地点Ｐ３（終了地点）の地点情報（座標と属性）、および当該道路区間のレーン数や当該道路区間に対応付けて記憶されているその他の情報を、リンクデータやノードデータを参照して取得する。道路区間Ｓは単一のレーンを有する道路区間であり、この場合、地点Ｐ１・Ｐ２・Ｐ３はそれぞれ道路区間Ｓの幅方向の中央に設定された地点であるという属性を有している。
【００３２】
次に、制御部２０は、道路情報取得部２１ａの処理を実行することにより、自車両の前方にカーブ形状の道路区間が存在するか否かを判定する（ステップＳ１１０）。具体的には例えば、取得した道路区間形状情報に基づいて、対象の道路区間がカーブ形状の区間を含んでいるか否かを判定する。例えば、当該道路区間に対応付けて所定値以上の曲率が記憶されているかを判定する。自車両の前方にカーブがあると判定された場合、制御部２０は、走行予想軌跡導出処理を実行する（ステップＳ１１５）。
【００３３】
図５は、走行予想軌跡導出処理を示すフローチャートである。まず制御部２０は走行領域特定部２１ｂの処理を実行することにより、カメラ４３が撮影した画像の画像情報を取得する（ステップＳ２１０）。続いて制御部２０は、走行領域特定部２１ｂの処理を実行することにより、自車走行レーンを幅方向に分割した複数個の領域のうち、自車両がいずれの領域に属すかを特定する（ステップＳ２１５）。
【００３４】
図２を用いて具体的に説明する。制御部２０は、ステップＳ１００で取得したレーン幅Ｗｎに基づいて、対象となる道路区間に所定距離接近した位置において自車走行レーンを幅方向に分割する領域の個数を決定する。図６Ａ、図６Ｂおよび図６Ｃはカメラ４３が撮影した画像を示している。図６Ａは、図２Ａのように車両の進行方向を基準にして自車両が自車走行レーン内で右寄りを走行している場合に撮影される画像の一例を模式的に示している。図６Ｂは、図２Ｂのように、自車走行レーン内の中央付近を走行している場合に撮影される画像の一例を、図６Ｃは、図２Ｃに示すように、自車走行レーン内で左寄りを走行している場合に撮影される画像の一例を模式的に示している。
【００３５】
このように、自車両に取り付けられた状態のカメラ４３の撮影範囲の最大幅Ｗｃよりレーン幅Ｗｎが大きいときは、分割数を３分割とする。この場合、自車走行レーンの左右いずれか一方の端が画像内に含まれるパターンと、いずれの端も画像内に含まれないパターンと、他方の端が画像内に含まれるパターンの３パターンの画像の画像情報が取得されうる。制御部２０は取得した画像情報に基づいて画像認識処理を行い、レーン端を示す画像の検出を行う。画像内の右側にレーン端を検出した場合は、自車走行レーン内の左寄りの領域に、画像内にレーン端を示す画像が含まれない場合は、自車走行レーン内の中央付近の領域に、画像内の左側にレーン端を示す画像を検出した場合は、自車走行レーン内の右寄りの領域に属していると制御部２０は判断する。もちろん、カメラ４３が車両前方の路面の画像を撮影するように取り付けられている場合は、上述の逆となる。
【００３６】
また、領域の特定には上述のように、カメラ４３が撮影した画像内にレーン端を示す画像が含まれているか否かに応じて領域を特定する以外の方法を用いてもよい。例えば、カメラ４３が撮影した画像内にレーン端を示す画像が含まれる場合は、当該画像内に含まれる当該レーン端画像の長さ（自車走行レーンとその外側の領域との境界線の長さ）および傾きを検出し、レーン端画像の長さおよび傾きに基づいてレーン端からの自車両の距離を推定し、レーン幅Ｗｎを３分割したうちのどの領域に属すかを特定するようにしてもよい。
【００３７】
なお、レーン幅Ｗｎがカメラの撮影範囲の最大幅Ｗｃより大きくない場合は、分割数を２分割とする。そして、左右のどちらの端が画像内の中央に近くにあるかに応じて、自車走行レーンを２分割したうちのどちらの領域であるかを特定してもよい。また、レーン幅Ｗｎがカメラの撮影範囲の最大幅Ｗｃより大きくない場合であっても３分割中のいずれの領域であるかを特定してもよい。以上説明した方法によると、自車走行レーン内での幅方向の走行位置を簡易に特定することができる。
【００３８】
次に、制御部２０は、走行予想軌跡導出部２１ｃの処理を実行することにより、複数個の領域のうちの前記特定された領域の位置と道路区間形状情報とに基づいて、前記特定された領域内の点を基点として前記道路区間を通る自車両の走行予想軌跡を導出する（ステップＳ２２０）。例えばステップＳ２１５にて３つの領域のうちの一番右側の領域に自車両が属していることが特定された場合（図４参照）、制御部２０は、地点Ｐ１の座標とレーン幅Ｗｎとに基づいて地点Ｐ１を幅方向の右側に長さ（１／３）Ｗｎだけ移動させた地点Ｐ４の座標を求め、地点Ｐ４を基点とした走行予想軌跡を導出する。
【００３９】
このように、対象道路区間に接近するときの自車走行レーンの幅方向における実際の走行位置に応じて走行予想軌跡を導出するため、当該道路区間の走行予想軌跡を、走行する都度、より実際の走行軌跡に近い走行予想軌跡として導出することができる。
【００４０】
なお、地点Ｐ２におけるレーン幅と地点Ｐ３におけるレーン幅とに基づいて、それぞれの地点で走行しうる幅方向の中央（Ｐ２、Ｐ３）から最も離れた地点（Ｐ５、Ｐ６、Ｐ７、Ｐ８）の座標を算出してもよい。地点Ｐ４を基点とし道路区間Ｓを通る走行予想軌跡は、地点Ｐ４・Ｐ５・Ｐ７を通る軌跡ＴＬと、地点Ｐ４・Ｐ６・Ｐ８を通る軌跡ＴＲの間で複数パターンの軌跡が想定しうる。例えば、地点Ｐ４を通過する車両が道路区間Ｓでの旋回半径を大きくする（曲率を小さくする）ために走行することが予想される軌跡を、地点Ｐ２、Ｐ６、Ｐ７、Ｐ３の座標から求めてもよい。すなわち、旋回半径を大きくする軌跡として、地点Ｐ４と、地点Ｐ２・Ｐ６の間の任意の地点と、地点Ｐ７・Ｐ３の間の任意の地点とを通る軌跡を導出してもよい。
【００４１】
また、忌避誘発形状物が道路外または道路上に存在する場合は、忌避誘発形状物の位置や大きさや種類に応じて、道路区間Ｓの道路上に設定された地点のうちの少なくともいずれか一つを忌避誘発形状物から遠ざかる位置に移動させ、基点Ｐ４と移動させた地点とその他の地点とを通る線を走行予想軌跡としてもよい。例えば、地点Ｐ４を通過し道路区間Ｓでの旋回半径を大きくする（曲率を小さくする）軌跡として、地点Ｐ４・Ｐ２・Ｐ７を通過する軌跡を想定する場合を考える。この場合に例えば道路区間Ｓのカーブ外周寄り側の道路外に忌避誘発形状物としての谷が形成されているとすると、運転者は道路上においてカーブ外周寄りに進路を取る可能性は低いと考えられる。道路傍に存在する谷の地形が運転者の恐怖心を誘い、忌避を誘発しやすいと考えられるためである。そのため、地点Ｐ７を自車走行レーンの幅方向にカーブ内周寄りへ所定距離ずらした地点（例えば地点Ｐ３）と、地点Ｐ２と、地点Ｐ４を通る軌跡Ｔｃを走行予想軌跡として導出してもよい。
【００４２】
このように、対象道路区間の走行予想軌跡を導出する際に当該道路区間の走行に影響を与えうる忌避誘発形状物が存在する場合は、当該道路区間の形状を示す地点情報を用いて当該忌避誘発形状物から遠ざかるような走行予想軌跡を導出することにより、当該道路区間の走行予想軌跡を、より実際の走行軌跡に近い走行予想軌跡として導出することができる。その結果、導出された走行予想軌跡に基づいて、当該道路区間の走行に際して、後述する様々な車両制御を行う場合に設定する制御量を最適化することができる。
【００４３】
なお、走行予想軌跡として導出された３地点の座標から、当該３地点上を通過する円の半径（自車両の旋回半径に相当）を求めてもよい。具体的には例えば、当該３地点を結ぶ２つの線分に対する２つの垂直二等分線の交点の座標を算出し、当該交点と３地点のうちのいずれかの地点との距離を旋回半径としてもよい。
以上、走行予想軌跡導出処理について説明した。図３の車両制御処理の説明に戻る。
【００４４】
走行予想軌跡が導出された後、制御部２０は、導出された走行予想軌跡に基づいて車両制御装置４４に対象道路区間の走行に備えた車両制御処理を実行させる（ステップＳ１２０）。車両制御装置４４は例えば、旋回半径に基づいて減速制御を実施する。具体的には、旋回半径から目標車速を設定し、現在の車速との差を算出する。そして、エンジン出力低減制御や、変速機のシフトダウン制御、制動装置によるブレーキ制御などのうちのいずれかを実行する。また、旋回半径に基づいて、車両の姿勢を安定させるための制御を実施してもよい。具体的には旋回半径が小さいほどサスペンションユニットの減衰力を大きくしてもよい。また、夜間やトンネル内走行中であればライト配光制御を実施してもよい。すなわち、導出した走行予想軌跡上を中心に照射できるように配光方向を制御してもよい。
【００４５】
（３）他の実施形態：
以上の実施形態は、本発明を実施するための一例であり、自車両の走行位置における自車走行レーンのレーン幅と、前記自車両の前方の道路区間の形状を示す道路区間形状情報とを取得し、前記レーン幅に基づいて前記走行位置において前記自車走行レーンを幅方向に分割した複数個の領域のうち、前記自車両がいずれの領域に属すかを特定し、前記複数個の領域のうちの前記特定された領域の位置と前記カーブ形状情報とに基づいて、前記特定された領域内の点を基点として前記道路区間を通る前記自車両の走行予想軌跡を導出する限りにおいて他にも種々の実施形態を採用可能である。
【００４６】
例えば、走行予想軌跡を導出する対象とする道路区間は、カーブ形状の区間に限らず、直線形状の区間でもよい。この場合、道路区間形状情報は、当該道路区間の道路上に設定された２地点の地点情報であってもよい。そして制御部は、直線形状の対象道路区間に所定距離接近した走行位置おいてレーン幅方向の分割領域のうち自車両の走行領域を特定し、当該特定された領域内の点を基点として当該道路区間を通る走行予想軌跡を導出してもよい。図７Ａは、道路区間Ｓの道路区間形状情報として道路の幅方向中央に地点Ｐ１１と地点Ｐ１２が設定されており、道路区間Ｓの手前において幅方向に一番左の領域に自車両が属していることを示している。また、道路区間Ｓの道路上に忌避誘発形状物Ｅ１（例えば路面の整備不良部）が存在することを示している。このような場合、忌避誘発形状物Ｅ１を避けるために忌避誘発形状物Ｅ１に近いＰ１２を忌避誘発形状物Ｅ１から離れる方向に移動させ、移動させた地点Ｐ１４と、前記特定された領域内の地点Ｐ１３とを通る軌跡を走行予想軌跡としてもよい。
【００４７】
なお、忌避誘発形状物情報は、上記実施形態では地図情報と関連づけて予め記憶されている情報を取得する構成を採用したが、例えばプローブカーが収集した忌避誘発形状物情報を情報センタから無線通信にて取得してもよい。また例えば、路車間通信や車車間通信によって忌避誘発形状物情報を取得してもよい。
【００４８】
また、カーブ形状の道路区間は、一定曲率のカーブの区間に限らずクロソイドカーブの区間であってもよい。図７Ｂに示すように、道路区間Ｓ内のレーン幅が、道路区間Ｓの手前におけるレーン幅Ｗｎより小さくなっていたり、一定曲率のカーブでないなど、単純な形状の道路区間でない場合、道路区間Ｓの範囲を一律の長さで区切るのではなく、ノードや形状補間点の個数で区切ってもよい。
【図面の簡単な説明】
【００４９】
【図１】ナビゲーション装置のブロック図である。
【図２】自車走行レーン内の自車両の位置とカメラの撮影範囲を説明する平面図である。
【図３】車両制御処理を示すフローチャートである。
【図４】カーブ形状の道路区間と走行予想軌跡の例を示す平面図である。
【図５】走行予想軌跡導出処理を示すフローチャートである。
【図６】カメラが撮影した画像の一例を示す図である。
【図７】他の実施例にかかる道路区間と走行予想軌跡の例を示す平面図である。
【符号の説明】
【００５０】
１０：ナビゲーション装置、２０：制御部、２１：ナビゲーションプログラム、２１ａ：道路情報取得部、２１ｂ：走行領域特定部、２１ｃ：走行予想軌跡導出部、３０：記憶媒体、３０ａ：地図情報、４０：ＧＰＳ受信部、４１：車速センサ、４２：ジャイロセンサ、４３：カメラ、４４：車両制御装置、５０：領域、Ｅ１：忌避誘発形状物、Ｓ：道路区間、Ｗｎ：レーン幅。
【図１】
2009176188.tif 000003
【図２】
2009176188.tif 000004
【図３】
2009176188.tif 000005
【図４】
2009176188.tif 000006
【図５】
2009176188.tif 000007
【図６】
2009176188.tif 000008
【図７】
2009176188.tif 000009